(57)【要約】【課題】光ファイバ心線が走行する際に鍔部のファイバ規制面を登ろうとする挙動を阻止し、光ファイバ心線の線ぶれを抑えることができる光ファイバ心線整列用シーブを提供する。【解決手段】複数の光ファイバ心線を整列させるために用いられる光ファイバ心線整列用シーブ１０は、整列させる複数の光ファイバ心線が接触するための円周面を有するシーブ本体と、シーブ本体両側に設けられ、各々、シーブ本体の円周面に続いて外向きに広がり光ファイバ心線の横方向の移動を規制するためのファイバ規制面を有する一対の鍔部と、を備える。シーブ縦断面において、シーブ本体１１の円周面１１ａとそれに連続する鍔部１２のファイバ規制面１２ａとのなす角度を９０°よりも大きく且つ１０５°未満とする、或いは、シーブ本体１１の円周面１１ａと鍔部１２のファイバ規制面１２ａとの境界部１３の曲率半径を１２５μｍ未満とする。【選択図】図１
2004070105.tif 000002
【特許請求の範囲】
【請求項１】
複数の光ファイバ心線を整列させるために用いられる光ファイバ心線整列用シーブであって、
整列させる複数の光ファイバ心線が接触するための円周面を有するシーブ本体と、
上記シーブ本体両側に設けられ、各々、該シーブ本体の円周面に続いて外向きに広がり光ファイバ心線の横方向の移動を規制するためのファイバ規制面を有する一対の鍔部と、を備え、
シーブ縦断面において、上記シーブ本体の円周面とそれに連続する上記鍔部のファイバ規制面とのなす角度が９０°よりも大きく且つ１０５°未満であることを特徴とする光ファイバ心線整列用シーブ。
【請求項２】
請求項１に記載された光ファイバ心線整列用シーブにおいて、
シーブ縦断面において、上記シーブ本体の円周面とそれに連続する上記鍔部のファイバ規制面とのなす角度が９０°よりも大きく且つ９５°以下であることを特徴とする光ファイバ心線整列用シーブ。
【請求項３】
複数の光ファイバ心線を整列させるために用いられる光ファイバ心線整列用シーブであって、
整列させる複数の光ファイバ心線が接触するための円周面を有するシーブ本体と、
上記シーブ本体両側に設けられ、各々、該シーブ本体の円周面に続いて外向きに広がり光ファイバ心線の横方向の移動を規制するためのファイバ規制面を有する一対の鍔部と、を備え、
シーブ縦断面において、上記シーブ本体の円周面と上記鍔部のファイバ規制面との境界部の曲率半径が１２５μｍ未満であることを特徴とする光ファイバ心線整列用シーブ。
【請求項４】
請求項１又は３に記載された光ファイバ心線整列用シーブを有することを特徴とする光ファイバテープ心線製造装置
【請求項５】
光ファイバ心線整列用シーブを用いて複数の光ファイバ心線を整列させた光ファイバテープ心線を製造する方法であって、
上記光ファイバ心線整列用シーブを、上記整列させる複数の光ファイバ心線が接触する円周面を有するシーブ本体と、該シーブ本体両側に設けられ、各々、該シーブ本体の円周面に続いて外向きに広がり該光ファイバ心線の横方向の移動を規制するファイバ規制面を有する一対の鍔部と、を備え、シーブ縦断面において、該シーブ本体の円周面と該鍔部のファイバ規制面との境界部の曲率半径が該光ファイバ心線の半径未満であるものとすることを特徴とする光ファイバテープ心線の製造方法。
【発明の詳細な説明】
【０００１】
【発明の属する技術分野】
本発明は、複数の光ファイバ心線を整列させるために用いられる光ファイバ心線整列用シーブ、及び、それを備えた光ファイバテープ心線製造装置、並びに、光ファイバテープ心線の製造方法に関する。
【０００２】
【従来の技術】
複数の光ファイバ心線を並列に整列させた光ファイバテープ心線は、各々が所定の色に着色された複数の光ファイバ心線を並列に整列させて走行させ、それらの表面に紫外線硬化型樹脂を塗布した後に紫外線を照射することにより一体化させて製造される。
【０００３】
ところで、走行する複数の光ファイバ心線を整列させる際には、光ファイバ心線整列用シーブが用いられる。かかる光ファイバ心線整列用シーブは、外周面が円周面である円筒状のシーブ本体と、シーブ本体両側に設けられ各々がシーブ本体の円周面に続いて外向きに広がるファイバ規制面を有した一対の鍔部と、からなる。そして、光ファイバテープ心線製造装置において、光ファイバ心線整列用シーブは、軸方向が光ファイバ心線の走行方向に対して直交し且つ走行する複数の光ファイバ心線がシーブ本体の円周面上に接触するように回転自在に設けられ、走行する複数の光ファイバ心線をシーブ本体の円周面上で整列させると共に各鍔部のファイバ規制面によって横方向の移動を規制する。
【０００４】
【発明が解決しようとする課題】
しかしながら、鍔部のファイバ規制面がテーパ状に形成されているような場合、最外の光ファイバ心線が走行する際に鍔部のファイバ規制面を登ろうとする挙動を示すことがある。そして、そのような挙動が生じると、光ファイバ心線が線ぶれを生じ、その結果、光ファイバ心線の断線が生じたり、工程検査用の外径測定器で測定されるテープ幅のノイズが多くなったり、光ファイバ心線が交差する等の整列乱れが生じたり、製造される光ファイバテープ心線に突発的に形状乱れが生じるという問題がある。
【０００５】
本発明は、かかる点に鑑みてなされたものであり、その目的とするところは、光ファイバ心線が走行する際に鍔部のファイバ規制面を登ろうとする挙動を阻止し、光ファイバ心線の線ぶれを抑えることができる光ファイバ心線整列用シーブ、及び、それを備えた光ファイバテープ心線製造装置、並びに、光ファイバテープ心線の製造方法を提供することにある。
【０００６】
【課題を解決するための手段】
上記目的を達成するための第１の解決手段は、複数の光ファイバ心線を整列させるために用いられる光ファイバ心線整列用シーブであって、
整列させる複数の光ファイバ心線が接触するための円周面を有するシーブ本体と、
上記シーブ本体両側に設けられ、各々、該シーブ本体の円周面に続いて外向きに広がり光ファイバ心線の横方向の移動を規制するためのファイバ規制面を有する一対の鍔部と、を備え、
シーブ縦断面において、上記シーブ本体の円周面とそれに連続する上記鍔部のファイバ規制面とのなす角度が９０°よりも大きく且つ１０５°未満であることを特徴とする。
【０００７】
上記の構成によれば、シーブ本体の円周面とそれに連続する鍔部のファイバ規制面とのなす角度が９０°よりも大きく且つ１０５°未満であり、シーブ本体の円周面に対する鍔部のファイバ規制面の傾斜角が大きいので、光ファイバ心線が鍔部のファイバ規制面に接触してもシーブ本体の円周面に戻されることとなり、光ファイバ心線が走行する際に鍔部のファイバ規制面を登ろうとする挙動が阻止され、それによって光ファイバ心線の線ぶれを抑えることができる。従って、その結果、光ファイバ心線の線ぶれに起因する光ファイバ心線の断線、工程検査用の外径測定器で測定されるテープ幅のノイズ、光ファイバ心線が交差する等の整列乱れ、製造される光ファイバテープ心線の突発的な形状乱れ等を抑止することができる。
【０００８】
ここで、上記角度が９０°以下では、光ファイバ心線が鍔部に接触して外周面が削れて損傷を受ける虞がある。また、上記角度が１０５°以上では、光ファイバ心線が鍔部のファイバ規制面を登ろうとする挙動の阻止作用が十分に発揮されない虞がある。
【０００９】
かかる観点から、第１の解決手段では、シーブ縦断面において、上記シーブ本体の円周面とそれに連続する上記鍔部のファイバ規制面とのなす角度が９０°よりも大きく且つ９５°以下であることが好ましい。
【００１０】
上記の構成によれば、光ファイバ心線が走行する際に鍔部のファイバ規制面を登ろうとする挙動を抑止する効果がより確実なものとなる。
【００１１】
第２の解決手段は、複数の光ファイバ心線を整列させるために用いられる光ファイバ心線整列用シーブであって、
整列させる複数の光ファイバ心線が接触するための円周面を有するシーブ本体と、
上記シーブ本体両側に設けられ、各々、該シーブ本体の円周面に続いて外向きに広がり光ファイバ心線の横方向の移動を規制するためのファイバ規制面を有する一対の鍔部と、を備え、
シーブ縦断面において、上記シーブ本体の円周面と上記鍔部のファイバ規制面との境界部の曲率半径が１２５μｍ未満であることを特徴とする。
【００１２】
上記の構成によれば、シーブ本体の円周面と鍔部のファイバ規制面との境界部の曲率半径が一般的な光ファイバ心線の半径である１２５μｍ未満であり、光ファイバ心線がシーブ本体の円周面と鍔部のファイバ規制面との境界部に嵌まって保持され、光ファイバ心線がシーブ本体の円周面から鍔部のファイバ規制面に滑らかに移動することがないので、光ファイバ心線が走行する際に鍔部のファイバ規制面を登ろうとする挙動が阻止され、それによって光ファイバ心線の線ぶれを抑えることができる。従って、その結果、光ファイバ心線の線ぶれに起因する光ファイバ心線の断線、工程検査用の外径測定器で測定されるテープ幅のノイズ、光ファイバ心線が交差する等の整列乱れ、製造される光ファイバテープ心線の突発的な形状乱れ等を抑止することができる。
【００１３】
このことより、光ファイバ心線整列用シーブを用いて複数の光ファイバ心線を整列させた光ファイバテープ心線を製造する方法としては、
上記光ファイバ心線整列用シーブを、上記整列させる複数の光ファイバ心線が接触する円周面を有するシーブ本体と、該シーブ本体両側に設けられ、各々、該シーブ本体の円周面に続いて外向きに広がり該光ファイバ心線の横方向の移動を規制するファイバ規制面を有する一対の鍔部と、を備え、シーブ縦断面において、該シーブ本体の円周面と該鍔部のファイバ規制面との境界部の曲率半径が該光ファイバ心線の半径未満であるものとすればよい。
【００１４】
以上より、第１及び第２の解決手段の光ファイバ心線整列用シーブを有する光ファイバテープ心線製造装置によれば、光ファイバ心線の線ぶれと共に光ファイバ心線整列用シーブ上での光ファイバ心線の整列乱れが抑えられ、形状乱れの少ない光ファイバテープ心線を製造することができる。
【００１５】
【発明の実施の形態】
以下、本発明の実施形態を図面に基づいて詳細に説明する。
【００１６】
図１は、本発明の実施形態に係る光ファイバ心線整列用シーブ１０を示す。
【００１７】
この光ファイバ整列用シーブは、円筒状のシーブ本体１１と、シーブ本体１１両側に設けられた一対の鍔部１２と、からなる。
【００１８】
シーブ本体１１は、滑らかな円周面１１ａの外周面を有し、その円周面１１ａ上に整列させる複数の光ファイバ心線Ｆが接触する。
【００１９】
各鍔部１２は、シーブ本体１１の円周面１１ａに続いて外向きにテーパ状に広がるファイバ規制面１２ａを有し、このファイバ規制面１２ａによって光ファイバ心線Ｆの横方向の移動が規制される。
【００２０】
そして、この光ファイバ心線整列用シーブ１０縦断面において、図２（ａ）に示すように、シーブ本体１１の円周面１１ａと境界部１３を介してそれに連続する鍔部１２のファイバ規制面１２ａとのなす角度θが１０５°未満（好ましくは９５°以下）となっており、また、図２（ｂ）に示すように、シーブ本体１１の円周面１１ａと鍔部１２のテーパ面との境界部１３の曲率半径Ｒが１２５μｍ未満となっている。
【００２１】
次に、この光ファイバ心線整列用シーブ１０を第２及び第３整列シーブ２３，２４として２つ用いた光ファイバテープ心線製造装置２０について説明する。図３は、その光ファイバテープ心線製造装置２０を示す。
【００２２】
この光ファイバテープ心線製造装置２０は、ファイバ径２５０μｍの複数の光ファイバ心線Ｆを引き出して１００〜６００ｍ／ｍｉｎの速度で走行させ、それらの光ファイバ心線Ｆの走行途中でそれらをテープ化し、最後に光ファイバテープ心線Ｔを巻き取るようにしたものであり、複数の送出ボビン２１と、送出ボビン２１の斜め上方に設けられた第１整列シーブ２２と、第１整列シーブ２２の下方に順に配設された第２及び第３整列シーブ２３，２４と、さらに第３整列シーブ２４の下方に順に配設されたダイス２５と、ＵＶランプ２６及び外径測定器２７と、外径測定器２７の下方に設けられた方向転換用シーブと、その方向転換用シーブの斜め上方に設けられた第１及び第２巻取補助シーブ２９，３０と、第１及び第２巻き取り補助シーブ間に設けられたダンサー３１と、第２巻き取り補助シーブの斜め下方に設けられた巻取ボビン３２と、を備えている。これらのうち、第２及び第３整列シーブ２３，２４が本発明の実施形態に係る光ファイバ心線整列用シーブ１０である。
【００２３】
複数の送出ボビン２１は、それぞれに異なる色に着色された光ファイバ心線Ｆが巻かれており、巻取ボビン３２の巻き取り力によってそれぞれから光ファイバ心線Ｆが斜め上向きに引き出される。なお、送出ボビン２１の数は、製造される光ファイバテープ心線Ｔが４心の場合には４ボビン、８心の場合には８ボビンとなる。また、送出ボビン２１に巻かれた光ファイバ心線Ｆは、コアとクラッドとからなる光ファイバ素線がナイロン樹脂等で被覆されたものである。
【００２４】
第１整列シーブ２２は、図４に示すように、周縁にファイバ溝が形成された幅狭の小シーブ２２ａを送出ボビン２１と同数重ねた構成のものであり、送出ボビン２１からの複数の光ファイバ心線Ｆをそれぞれ小シーブ２２ａに巻き掛けて整列させると共に走行方向を下向きに変える。
【００２５】
第２整列シーブ２３は、本実施形態の光ファイバ心線整列用シーブ１０と同様の構成であり、第１整列シーブ２２で整列させた複数の光ファイバをシーブ本体１１の円周面１１ａに接触させて幅狭に整列させる。第３整列シーブ２４も、本実施形態の光ファイバ心線整列用シーブ１０と同様の構成であり、第１整列シーブ２２で整列させた複数の光ファイバをシーブ本体１１の円周面１１ａに接触させてさらに幅狭に整列させる。
【００２６】
ダイス２５は、第３整列シーブ２４からの整列された複数の光ファイバが細長い孔に挿通されて並列に整列され、その挿通の間にそれらの表面に未硬化液状の紫外線硬化型樹脂を付着させる。
【００２７】
ＵＶランプ２６は、未硬化液状の紫外線硬化型樹脂が付着した状態の並行に整列された複数の光ファイバが挿通され、その挿通の間に紫外線硬化型樹脂を紫外線照射によって硬化させて複数の光ファイバ心線Ｆからなる光ファイバテープ心線Ｔを形成させる。
【００２８】
外径測定器２７は、ＵＶランプ２６からの光ファイバテープ心線Ｔが挿通され、その挿通の間に光ファイバテープ心線Ｔの外径幅を検知し、その情報を図示しない制御装置に送り、所定の公差内の製品が製造されているか否かを判断して異常検知するように構成されている。
【００２９】
方向転換シーブ２８は、外径測定器２７からの光ファイバテープ心線Ｔが巻き掛けられ、下向きに走行していた光ファイバテープ心線Ｔの走行方向を斜め上向きに変える。
【００３０】
第１及び第２巻取補助シーブ２９，３０は、方向転換用シーブからの光ファイバテープ心線Ｔが順に巻き掛けられ、光ファイバテープ心線Ｔを巻取ボビン３２へと導く。また、方向転換シーブ２８乃至第１及び第２巻取補助シーブ２９，３０では紫外線硬化型樹脂の硬化に伴う昇温した光ファイバテープ心線Ｔの冷却が営まれる。
【００３１】
ダンサー３１は、第１及び第２巻取補助シーブ２９，３０間で光ファイバテープ心線Ｔに所定荷重をかけ、光ファイバテープ心線Ｔが一定張力をかけられた状態で巻取ボビン３２に巻き取られるようにする。
【００３２】
巻取ボビン３２は、第２巻取補助シーブ２９，３０からの製造された光ファイバテープ心線Ｔを張力がかけられた状態で巻き取る。
【００３３】
上記構成の光ファイバ心線整列用シーブ１０によれば、シーブ本体１１の円周面１１ａとそれに連続する鍔部１２のファイバ規制面１２ａとのなす角度が９０°よりも大きく且つ１０５°未満であり（或いは、９０°よりも大きく且つ９５°以下であり）、シーブ本体１１の円周面１１ａに対する鍔部１２のファイバ規制面１２ａの傾斜角が大きいので、光ファイバ心線Ｆが鍔部１２のファイバ規制面１２ａに接触してもシーブ本体１１の円周面１１ａに戻されることとなり、光ファイバ心線Ｆが走行する際に鍔部１２のファイバ規制面１２ａを登ろうとする挙動が阻止され、それによって光ファイバ心線Ｆの線ぶれを抑えることができる。また、シーブ本体１１の円周面１１ａと鍔部１２のファイバ規制面１２ａとの境界部１３の曲率半径が光ファイバ心線Ｆの半径である１２５μｍ未満であり、光ファイバ心線Ｆがシーブ本体１１の円周面１１ａと鍔部１２のファイバ規制面１２ａとの境界部１３に嵌まって保持され、光ファイバ心線Ｆがシーブ本体１１の円周面１１ａから鍔部１２のファイバ規制面１２ａに滑らかに移動することがないので、かかる作用によっても光ファイバ心線Ｆが走行する際に鍔部１２のファイバ規制面１２ａを登ろうとする挙動が阻止され、それによって光ファイバ心線Ｆの線ぶれを抑えることができる。従って、その結果、光ファイバ心線Ｆの線ぶれに起因する光ファイバ心線Ｆの断線、外径測定器２７で測定されるテープ幅のノイズ、光ファイバ心線Ｆが交差する等の整列乱れ、製造される光ファイバテープ心線Ｔの突発的な形状乱れ等を抑止することができる。
【００３４】
【発明の効果】
以上説明したように、本発明によれば、光ファイバ心線が走行する際に鍔部のファイバ規制面を登ろうとする挙動が阻止され、それによって光ファイバ心線の線ぶれを抑えることができ、その結果、光ファイバ心線の線ぶれに起因する光ファイバ心線の断線、工程検査用の外径測定器で測定されるテープ幅のノイズ、光ファイバ心線が交差する等の整列乱れ、製造される光ファイバテープ心線の突発的な形状乱れ等を抑止することができる。
【図面の簡単な説明】
【図１】本発明の実施形態に係る光ファイバ心線整列用シーブの斜視図である。
【図２】本発明の実施形態に係る光ファイバ心線整列用シーブの要部の断面図である。
【図３】光ファイバテープ心線製造装置の構成を示す図である。
【図４】光ファイバテープ心線製造装置の光ファイバ心線を整列させる部分を示す図である。
【符号の説明】
１０　光ファイバ心線整列用シーブ
１１　シーブ本体
１１ａ　円周面
１２　鍔部
１２ａ　ファイバ規制面
１３　境界部
２０　光ファイバテープ心線製造装置
２１　送出ボビン
２２　第１整列シーブ
２２ａ　小シーブ
２３　第２整列シーブ
２４　第３整列シーブ
２５　ダイス
２６　ＵＶランプ
２７　外径測定器
２８　方向転換シーブ
２９　第１巻取補助シーブ
３０　第２巻取補助シーブ
３１　ダンサー
３２　巻取ボビン
Ｆ　光ファイバ心線
Ｔ　光ファイバテープ心線
【図１】
2004070105.tif 000003
【図２】
2004070105.tif 000004
【図３】
2004070105.tif 000005
【図４】
2004070105.tif 000006